(57)【要約】【課題】底部近傍における側壁の断面力の低減化を可能とし、かつ、施工性の向上を図ることを可能とした地上タンクおよび地上タンクの施工方法を提案する。【解決手段】コンクリート製の底版２と、円筒状もしくは略円筒状を呈するコンクリート製の側壁３とを備える地上タンク１であって、側壁３は、底版２と剛結合された第一側壁１０と、底版２に対して非剛結合な状態かつ第一側壁１０から独立した状態で第一側壁１０の外面に沿って形成された第二側壁２０とを有し、第一側壁１０には、底版２から上方に延びる縦緊張材１１と、周方向に沿って設けられた横緊張材１２とが配設されており、第二側壁２０には、第二側壁２０の周方向に沿って設けられた横緊張材２１が配設されており、横緊張材２１に導入した緊張力で第二側壁２０を引き締めることにより、第一側壁１０に周方向の圧縮力を作用させた地上タンク１。【選択図】図１
2014151926.tif 000002
【特許請求の範囲】
【請求項１】
コンクリート製の底版と、円筒状もしくは略円筒状を呈するコンクリート製の側壁と、を備える地上タンクであって、
前記側壁は、前記底版と剛結合された第一側壁と、前記底版に対して非剛結合な状態かつ前記第一側壁から独立した状態で前記第一側壁の外面に沿って形成された第二側壁と、を有し、
前記第一側壁には、前記底版から上方に延びる縦緊張材と、周方向に沿って設けられた横緊張材と、が配設されており、
前記第二側壁には、前記第二側壁の周方向に沿って設けられた横緊張材が配設されており、
横緊張材に導入した緊張力で前記第二側壁を引き締めることにより、前記第一側壁に周方向の圧縮力を作用させたことを特徴とする、地上タンク。
【請求項２】
前記第一側壁の外面と前記第二側壁の内面との間に隙間が形成されており、前記隙間に充填材が充填されていることを特徴とする、請求項１に記載の地上タンク。
【請求項３】
コンクリート製の底版を形成する工程と、
前記底版の上面に円筒状もしくは略円筒状を呈するコンクリート製の第一側壁を形成する工程と、
前記第一側壁の外周面に沿って第二側壁を形成する工程と、を備える地上タンクの施工方法であって、
前記第一側壁は、前記底版に剛結合させた状態で形成し、
前記第二側壁は、前記底版に対して非剛結な状態かつ前記第一側壁から独立した状態で形成し、
横緊張材に導入した緊張力で前記第二側壁を引き締めることにより、前記第一側壁に周方向の圧縮力を作用させることを特徴とする、地上タンクの施工方法。
【請求項４】
前記第二側壁は、前記第一側壁との間に隙間を有した状態で形成し、前記第二側壁の形成後、前記隙間に充填材を充填する工程を備えていることを特徴とする、請求項３に記載の地上タンクの施工方法。
【発明の詳細な説明】
【技術分野】
【０００１】
本発明は、地上タンクおよび地上タンクの施工方法に関する。
【背景技術】
【０００２】
ＬＮＧ、ＬＰＧ、工業用水等を貯蔵するための従来の地上タンク１０１は、図４の（ａ）に示すように、底版１０２と、底版１０２に剛結合される側壁１０３と、側壁１０３の上端に接続する平板状またはドーム状の外槽屋根（図示省略）とから構成されている。
【０００３】
地上タンク１０１の構成材料や構造形式は、その用途や規模によって多様に存在するものの、ＬＮＧ貯蔵用タンク等の比較的大規模で耐久性が要求される場合においては、鉄筋コンクリート構造物として現場施工されているのが一般的である。
【０００４】
このような地上タンク１０１においては、ＰＣケーブルなどの緊張材１０４，１０５が側壁１０３や底版１０２の内部に配設されており、所望する緊張力が導入されている。このようにすると、鉄筋量を効果的に低減することができるとともに、ひびわれを防止することができる。
ここで、側壁に埋設される緊張材としては、周方向の緊張材１０４と縦方向（鉛直方向）の緊張材１０５がある。
【０００５】
周方向の緊張材１０４は、側壁１０３内において側壁１０３に周方向の圧縮力を付与するものであり、地上タンク１０１内にＬＮＧやＬＰＧ等の液体が収容された際にその液圧ＰＬで側壁の周方向に生じ得る引張力を解消するために配置されている。
【０００６】
縦方向の緊張材１０５は、曲げ耐力を高めるために配置されるものであり、側壁１０３の上端から底版１０２まで延びる態様で埋設されて、側壁１０３に対して鉛直方向の圧縮力を付与する。
【０００７】
なお、地上タンク１０１内が空の状態では、周方向の緊張材の圧縮力により、側壁１０３の内側に圧縮ゾーンが形成された状態となって側壁１０３に断面力が生じるが、縦方向の緊張材１０５の圧縮力によりこの断面力に抗することができる。
【０００８】
側壁１０３は、防液堤とも称され、その下端近傍、すなわち、底版１０２と接合する箇所からその上方の一定の範囲においては、側壁１０３の他の部位に比べて大きな断面力（曲げモーメントやせん断力など）が生じる。
そのため、側壁１０３の下端近傍では、周方向の緊張材１０４を、他の部位に比べて密に配置する場合がある。
【０００９】
一方、縦方向の緊張材１０５の本数や緊張力は、側壁１０３の下端近傍の断面力に対応できるように設定されている。
そのため、側壁１０３の下端部以外の部位では、縦方向の緊張材１０５が過大に配置された状態となっていた。
【００１０】
本出願人は、特許文献１に示すように、図４の（ｂ）に示すように、側壁１１３下端に外側に張り出す段部１１６を設け、周方向の緊張材１１４と、底版１１２から段部１１６に設けられた下段の緊張材１１７とを段部に設けることで、縦方向の緊張材１１５の鋼材量を低減し、材料費および施工に手間の低減化を可能とした、地上タンク１１１を開発し、実用化に至っている。
【先行技術文献】
【特許文献】
【００１１】
【特許文献１】特開２０１１−１４８５３０号公報
【発明の概要】
【発明が解決しようとする課題】
【００１２】
側壁１１３に段部１１６が設けられていると、段部１１６を備える側壁１１３の下部と、その他の部位との間で、足場の配置や型枠の形状等が異なり、段部１１６の施工の前後において、段取り替えが必要となる。そのため、施工に手間がかかってしまう。
【００１３】
また、側壁１１３の下端部の部材厚が大きくなると、水和熱によるコンクリートの温度上昇（すなわち、温度ひびわれに発生）が懸念されることから、クーリング等の対策を講じるとともに、入念な温度管理が必要になる。
また、側壁１１３の下端部の部材厚が大きくなると、地上タンク１１１に収容された液体で冷却されたときの収縮力（温度応力）も大きくなる。
【００１４】
本発明は、前記の問題点を解決することを目的とするものであり、底部近傍における側壁の断面力の低減化を可能とし、かつ、施工性の向上を図ることを可能とした地上タンクおよび地上タンクの施工方法を提案することを課題とする。
【課題を解決するための手段】
【００１５】
前記課題を解決するために、本発明の地上タンクは、コンクリート製の底版と、円筒状もしくは略円筒状を呈するコンクリート製の側壁とを備えるものであって、前記側壁は、前記底版と剛結合された第一側壁と、前記底版に対して非剛結合な状態かつ前記第一側壁から独立した状態で前記第一側壁の外面に沿って形成された第二側壁とを有し、前記第一側壁には、前記底版から上方に延びる縦緊張材と、周方向に沿って設けられた横緊張材とが配設されており、前記第二側壁には、前記第二側壁の周方向に沿って設けられた横緊張材が配設されており、横緊張材に導入した緊張力で前記第二側壁を引き締めることにより、前記第一側壁に周方向の圧縮力を作用させたことを特徴としている。
【００１６】
かかる地上タンクによれば、壁厚が一定な第一側壁を施工することができるため、施工時の段取り替えが不要となり、施工性が向上する。
また、第一側壁の壁厚を小さくすることが可能になるので、温度応力に起因した曲げ断面力を低減することが可能となる。
【００１７】
また、前記地上タンクにおいて、前記第一側壁の外面と前記第二側壁の内面との間に隙間が形成されており、前記隙間に充填材が充填されていれば、施工時において、第二側壁のコンクリート収縮等による応力が第一側壁に作用することがない。
【００１８】
また、本発明の地上タンクの施工方法は、コンクリート製の底版を形成する工程と、前記底版の上面に円筒状もしくは略円筒状を呈するコンクリート製の第一側壁を形成する工程と、前記第一側壁の外周面に沿って第二側壁を形成する工程とを備えており、前記第一側壁は、前記底版に剛結合させた状態で形成し、前記第二側壁は、前記底版に対して非剛結な状態かつ前記第一側壁から独立した状態で形成し、横緊張材に導入した緊張力で前記第二側壁を引き締めることにより、前記第一側壁に周方向の圧縮力を作用させることを特徴としている。
【００１９】
かかる地上タンクの施工方法によれば、壁厚が一定な第一側壁を施工することができるため、施工時の段取り替えが不要となり、施工性に優れている。
また、第一側壁の壁厚を小さくすることで、温度応力の低減化や曲げ断面力の低減化が可能となる。
【００２０】
また、前記地上タンクの施工方法において、前記第二側壁は、前記第一側壁との間に隙間を有した状態で形成し、前記第二側壁の形成後、前記隙間に充填材を充填するとよい。このようにすると、施工時の第二側壁のコンクリート収縮等による応力が第一側壁に作用することがない。
【発明の効果】
【００２１】
本発明の地上タンクおよび地上タンクの施工方法によれば、底部近傍における側壁の断面力の低減化が可能となり、かつ、施工性の向上を図ることが可能となる。
【図面の簡単な説明】
【００２２】
【図１】本実施形態に係る地上タンクを示す断面図である。
【図２】図１に示す地上タンクの一部を示す拡大断面図である。
【図３】（ａ）〜（ｃ）は地上タンクの施工状況を示す断面図である。
【図４】（ａ）および（ｂ）は従来の地上タンクの一部を示す断面図である。
【発明を実施するための形態】
【００２３】
本実施形態の地上タンク１は、図１に示すように、底版２と、側壁３と、屋根４とを備えている。
【００２４】
地上タンク１の内部空間（底版２、側壁３および屋根４により囲まれた空間）には、液体等が収容される。なお、地上タンク１の収容物は限定されるものではなく、例えばＬＮＧ、ＬＰＧ、工業用水等を収容することができる。
【００２５】
底版２は、地盤上に形成された鉄筋コンクリート製の版状体であって、直接基礎を兼ねている。
なお、底版２は、必ずしも基礎を兼ねるものである必要はなく、底版２とは別に基礎構造を構築してもよい。また、地上タンク１の基礎構造として、杭基礎やパイルドラフト基礎を適用してもよい。
【００２６】
底版２は、側壁３の外形状と同等以上の平面形状を有している。なお、底版２の平面形状は限定されるものではなく、例えば円形や正方形等であってもよい。
底版２の厚さは、基礎地盤の土質や、上載荷重（地上タンク１の自重等）に応じて適宜設定する。
【００２７】
底版２には、図示しない放射状の緊張材およびリング状の緊張材が、緊張力が導入された状態で配設されている。緊張材を構成する材料は、限定されるものではなく、例えば、ＰＣ鋼より線、ＰＣ鋼棒、ＰＣ鋼線等により構成すればよい。
なお、底版２内の緊張材は、必要に応じて配置すればよい。
【００２８】
また、底版２には、側壁３（第一側壁１０）に配設された縦緊張材１１の下端が埋め込まれている。
【００２９】
側壁３は、防液堤を構成する鉄筋コンクリート製の壁体であって、底版２の上面に立設されている。本実施形態の側壁３は円筒状に形成されている。なお、側壁３の形状は、円筒状に限定されるものではなく、例えば楕円形をなす筒状（略円筒状）や多角形をなす筒状（略円筒状）であってもよい。
【００３０】
側壁３は、第一側壁１０と第二側壁２０とを有している。
第一側壁１０は、側壁３の内周側を構成し、防液堤として必要な高さを有している。また、第一側壁１０の下端は底版２に剛結合されている。
【００３１】
第一側壁１０には、周方向に間隔をあけて所定のピッチで配筋された図示しない縦主筋と、上下方向に間隔をあけて所定のピッチで配筋された図示しない横主筋とを備えている。縦主筋および横主筋は、側壁の外面から所定の被りを確保して配筋されている。縦主筋は、第一側壁１０に作用する曲げモーメントが底版２に伝達されるよう（すなわち、第一側壁１０が底版２に剛結合されるよう）、底版２に定着されている。
なお、第一側壁１０には、必要に応じてせん断補強筋を配筋してもよい。
【００３２】
第一側壁１０の内部には、図２に示すように、底版２から上方に延びる縦緊張材１１と、周方向に沿って設けられた横緊張材１２とが配設されている。
なお、縦緊張材１１および横緊張材１２を構成する材料は限定されるものではなく、例えば、ＰＣより線、ＰＣ鋼線、ＰＣ鋼棒等を使用すればよい。
【００３３】
縦緊張材１１は、第一側壁１０の厚さ方向の中央付近において、第一側壁１０の周方向に間隔をあけて所定のピッチで複数本配設されている。
縦緊張材１１は、上下方向に連続して配設されていて、縦緊張材１１の下端は、底版２に定着している。本実施形態では、第一側壁１０の上端から所定のコンクリート被りを確保した状態で、縦緊張材１１が配設されている。
【００３４】
縦緊張材１１には、緊張力が導入されていて、第一側壁１０に対して鉛直方向の圧縮力（プレストレス）を付与している。こうすることで第一側壁１０の曲げ耐力が高められる。
【００３５】
横緊張材１２は、第一側壁１０内において、縦緊張材１１の外側に配設されている。横緊張材１２は、第一側壁１０の高さ方向に間隔をあけて所定のピッチで複数本配設されている。なお、本実施形態では、第一側壁１０の下部であって、第二側壁２０に対応する部分では、横緊張材１２が省略されているが、横緊張材１２は第一側壁１０の全高に対して配設されていてもよい。
【００３６】
横緊張材１２には緊張力が導入されており、横緊張材１２は第一側壁１０に周方向の圧縮力（プレストレス）を付与している。こうすることにより、地上タンク１内の液圧ＰＬ等により第一側壁１０の周方向に生じ得る引張力を解消、あるいは、低減することが可能となる。
【００３７】
第二側壁２０は、第一側壁１０の外面に沿って形成されている。
第二側壁２０は、第一側壁１０の下部に対応した高さを有して形成されている。つまり、第二側壁２０は、上端面が第一側壁１０の上端面よりも低くなるように形成されており、側壁３の下端部の段部を構成している。
【００３８】
第二側壁２０には、周方向に間隔をあけて所定のピッチで配筋された図示しない縦主筋と、上下方向で所定のピッチで配筋された図示しない横主筋とを備えている。縦主筋および横主筋は、側壁の外面から所定の被りを確保して配筋されている。
なお、第二側壁２０には、必要に応じてせん断補強筋を配筋してもよい。
【００３９】
また、第二側壁２０は、底版２に対して非剛結合な状態であるとともに、第一側壁１０から独立した状態で底版２の上面に立設されている。すなわち、第二側壁２０の縦主筋は、底版２に定着されていない。
本実施形態では、底版２と第二側壁２０との間に図示しないズレ止め鉄筋が配設されており、底版２と第二側壁２０とがピン接合されている。ずれ止め鉄筋は、底版２に入り込んでいるものの、その挿入長さは第二側壁２０に作用する曲げモーメントを底版２に伝達しない程度に設定されている。なお、ずれ止め鉄筋は必要に応じて配設すればよい。また、底版２と第二側壁２０とをピン接合するために部材は限定されるものではない。
【００４０】
第二側壁２０は、第一側壁１０の外面との間に隙間を有した状態で形成されている。この第二側壁２０と第一側壁１０との隙間には、充填材３０が充填されている。
【００４１】
第二側壁２０には、周方向に沿って複数の横緊張材２１が配設されている。横緊張材２１は、第二側壁２０の高さ方向に間隔をあけて所定のピッチで配設されている。
なお、第二側壁２０に配設された横緊張材２１の配設ピッチは、第一側壁１０に配設された横緊張材１２の配設ピッチよりも密になっている。
【００４２】
横緊張材２１には緊張力が導入されており、横緊張材２１は第二側壁２０に周方向の圧縮力を付与している。
横緊張材２１に導入した緊張力で第二側壁２０を引き締めることにより、第一側壁１０に周方向の圧縮力が間接的に作用する。
【００４３】
屋根４は、図１に示すように、側壁３の上部で支持されるドーム状のコンクリート製もしくは鋼製の部材である。屋根４を構成する材料は限定するものではない。また、屋根４の形状も限定されるものではなく、例えば平板状に形成する等、側壁３の形状や収容物等に応じて適宜形成すればよい。
【００４４】
次に、地上タンク１の施工方法について説明する。
地上タンク１の施工方法は、底版形成工程と、第一側壁形成工程と、第二側壁形成工程とを備えている。
【００４５】
底版形成工程は、図３の（ａ）に示すように、コンクリート製の底版２を形成する工程である。
第一側壁１０の位置に対応して、底版２の上面から第一側壁１０の縦主筋の一部となる鉄筋２ａを突出させるとともに、縦緊張材１１を構成するＰＣ部材１１ａの下端を底版２に埋め込む。つまり、底版２の上面には、ＰＣ部材１１ａが植設されている。なお、鉄筋２ａは必ずしも突設しておく必要はない。また、ＰＣ部材１１ａは、第一側壁形成工程において配設してもよい。
【００４６】
第一側壁形成工程は、図３の（ｂ）に示すように、底版２の上面に円筒状を呈するコンクリート製の第一側壁１０を形成する工程である。
底版２の上面に突設された鉄筋２ａに第一側壁１０の縦主筋となる鉄筋２ｂをつなぎ、鉄筋２ａ，２ｂおよびＰＣ部材１１ａを巻き込んだ状態でコンクリートを打設することで、底版２と剛結合された第一側壁１０が形成される。
【００４７】
第一側壁１０の施工は、ＰＣ部材１１ａおよび鉄筋を縦方向に順次連結しながら行い、所定の長さの縦緊張材１１および縦主筋を形成する。なお、縦緊張材１１は、必ずしも複数のＰＣ部材１１ａにより構成されている必要はない。また、縦主筋も同様である。
【００４８】
また、第一側壁１０の施工は、第一側壁１０の側面に沿って形成された仮設足場４０を増設しながら行う。
【００４９】
第一側壁１０が所定の形状に形成されたら、縦緊張材１１および横緊張材１２に緊張力を導入する。
【００５０】
第二側壁形成工程は、図３の（ｃ）示すように、第一側壁１０の外周面に沿って円筒状を呈する第二側壁２０を形成する工程である。第二側壁形成工程は、仮設足場４０を解体した後に行う。
第二側壁２０は、第一側壁１０との間に隙間３１を有した状態で形成する。
【００５１】
第二側壁２０は、底版２の上面にずれ止め筋（ピン）を植設した後、鉄筋および型枠を配設して、コンクリートを打設することにより形成する。なお、ずれ止め筋は、底版２の施工時に植設しておいてもよい。
【００５２】
第二側壁２０のコンクリートの養生後、所定の強度が発現したら、横緊張材２１に緊張力を導入する。
横緊張材２１への緊張力の導入後、第一側壁１０と第二側壁２０との間の隙間に充填材３０を充填する（図２参照）。充填材３０を構成する材料は限定されないが、例えば、無収縮モルタル等からなる。
【００５３】
本実施形態の地上タンク１および地上タンクの施工方法によれば、第一側壁１０の外周面に沿って第二側壁２０が形成されているため、側壁３の下部に生じる大きな断面力（曲げモーメントやせん断力など）に対して十分な耐力を備えている。
つまり、第二側壁２０により、側壁３の下部に生じる断面力に抵抗し得る壁厚が確保されるとともに、横緊張材２１で第二側壁２０を引き締めることにより、第一側壁１０に圧縮力が付与される。
【００５４】
また、第二側壁２０は、第一側壁１０と独立した状態で形成されているため、地上タンク１内が空の状態のときには、第二側壁２０の拘束が弱まり、したがって、第一側壁１０に導入される圧縮力は小さくなる。地上タンク１内が空のときに第一側壁１０に導入される圧縮力が小さくなれば、第一側壁１０に発生する断面力が小さくなる。一方、地上タンク１に液体が貯留されると第一側壁１０が拡径するが、第一側壁１０が拡径すると、第二側壁２０によって拘束され、第一側壁１０に圧縮力が作用するようになるので、内圧に起因して第一側壁１０に発生する引張力を解消又は抑制することができる。
そのため、側壁３の下部において、縦緊張材２１を密に配設する必要がなく、経済的な構造を構築することができる。
【００５５】
また、第二側壁２０が第一側壁１０から独立しているので、第一側壁１０内の液体によって第一側壁１０が冷やされ、第一側壁が縮径しても、その影響が第二側壁２０に伝わり難くなる。
【００５６】
第二側壁２０の横緊張材２１による圧縮力は、第一側壁１０に間接的に導入されるため、第一側壁１０の壁厚を小さくすることができる。
そのため、水和熱によるコンクリートの温度上昇による温度ひびわれが発生するおそれがないとともに、地上タンクに収容された液体で冷却されたときの収縮力（温度応力）が大きくなることもない。
【００５７】
また、第一側壁１０を壁厚が一定な状態で施工することができるため、施工時の足場等の段取り替えが不要となり、施工性に優れているとともに、工期短縮を図ることができる。第一側壁１０を早期に構築できれば、タンク内部の機械工事（内構造等の構築工事）を早期に開始することができる。
【００５８】
なお、第二側壁２０は、機械工事と並行して行うことができるので、全体工期に影響が及ぶことなく施工することができる。つまり、第二側壁２０の施工の時期は、必ずしも第一側壁１０の施工と同時期あるいは連続している必要はなく、任意の時期に設定することができるため、作業の効率化を図ることができる。
【００５９】
また、第一側壁の壁厚を小さくすることが可能になるので、温度応力に起因した曲げ断面力を低減することが可能となる。
【００６０】
また、第一側壁１０の外面と第二側壁２０の内面との間に隙間３１を有した状態で第二側壁２０を施工するため、施工時の第二側壁２０のコンクリート収縮等による応力が、第一側壁１０に作用することがない。
【００６１】
第二側壁２０の横緊張材２１の圧縮力の大きさは、第一側壁１０と第二側壁２０との接続構造により任意に設定することが可能である。
【００６２】
以上、本発明に係る実施形態について説明した。しかし、本発明は、前述の実施形態に限られず、前記の各構成要素については、本発明の趣旨を逸脱しない範囲で、適宜変更が可能である。
【００６３】
前記実施形態では、第一側壁１０と第二側壁２０との間に隙間を有した状態で第二側壁２０を形成する場合について説明したが、第二側壁２０は、第一側壁１０に当接させた状態（第一側壁１０と第二側壁２０との間で径方向の引張力が伝わらない状態）で形成してもよい。
【符号の説明】
【００６４】
１  地上タンク
２  底版
３  側壁
１０  第一側壁
１１  縦緊張材
１２  横緊張材
２０  第二側壁
２１  横緊張材
３０  充填材
【図１】
2014151926.tif 000003
【図２】
2014151926.tif 000004
【図３】
2014151926.tif 000005
【図４】
2014151926.tif 000006